(57)【要約】【課題】偏光板の保護フィルムの位相差を考慮した視野角補償が可能な液晶装置及び電子機器を提供すること。【解決手段】液晶装置１は、液晶パネル２と、液晶パネル２を挟んで配置された偏光板６，７と、偏光板６又は偏光板７と液晶パネル２との間に配置された位相差フィルム８と、を備える。偏光板６，７は、偏光子６ａ，７ａと、偏光子６ａ，７ａを挟む透光性の保護フィルム６ｂ，７ｂとを有する。保護フィルム６ｂ，７ｂの面内位相差Ｒｅ1は、０ｎｍ≦Ｒｅ1≦５ｎｍを満たし、保護フィルム６ｂ，７ｂの厚み方向位相差Ｒｔｈは、２０ｎｍ＜Ｒｔｈ≦４０ｎｍを満たす。また、位相差フィルム８の面内位相差Ｒｅ2は、１００ｎｍ≦Ｒｅ2≦１５０ｎｍを満たし、位相差フィルム８のＮｚ値は、０．２≦Ｎｚ≦０．４を満たし、位相差フィルム８の平均屈折率Ｎａｖｅは、１．４≦Ｎａｖｅ≦２．０を満たす。【選択図】図１
2014102521.tif 000002
【特許請求の範囲】
【請求項１】
一対の基板と、前記一対の基板の間に配置され、前記基板に平行な成分を有する電界により駆動される液晶層と、を有する液晶パネルと、
前記液晶パネルを挟んで配置された第１の偏光板及び第２の偏光板と、
前記第１の偏光板と前記液晶パネルとの間、又は前記第２の偏光板と前記液晶パネルとの間に配置された位相差フィルムと、を備え、
前記第１の偏光板及び前記第２の偏光板は、偏光子と、前記偏光子を挟む透光性の保護フィルムとを有し、
前記保護フィルムのｘ軸、ｙ軸、及びｚ軸それぞれの軸方向における５５０ｎｍの屈折率をｎｘ1、ｎｙ1、ｎｚ1、とし、前記保護フィルムの厚さをｄ1とすると、
前記保護フィルムの面内位相差Ｒｅ1は、Ｒｅ1＝（ｎｘ1−ｎｙ1）ｄ1であり、
前記保護フィルムの厚み方向位相差Ｒｔｈは、Ｒｔｈ＝｛（ｎｘ1＋ｎｙ1）／２−ｎｚ1｝ｄ1であるとき、
前記保護フィルムの面内位相差Ｒｅ1は、０ｎｍ≦Ｒｅ1≦５ｎｍを満たし、
前記保護フィルムの厚み方向位相差Ｒｔｈは、２０ｎｍ＜Ｒｔｈ≦４０ｎｍを満たし、
前記位相差フィルムのｘ軸、ｙ軸、及びｚ軸それぞれの軸方向における５５０ｎｍの屈折率をｎｘ2、ｎｙ2、ｎｚ2、とし、前記位相差フィルムの厚さをｄ2とすると、
前記位相差フィルムの面内位相差Ｒｅ2は、Ｒｅ2＝（ｎｘ2−ｎｙ2）ｄ2であり、
前記位相差フィルムのＮｚ値は、Ｎｚ＝（ｎｘ2−ｎｚ2）／（ｎｘ2−ｎｙ2）であり、
前記位相差フィルムの平均屈折率Ｎａｖｅは、Ｎａｖｅ＝（ｎｘ2＋ｎｙ2＋ｎｚ2）／
３であるとき、
前記位相差フィルムの面内位相差Ｒｅ2は、１００ｎｍ≦Ｒｅ2≦１５０ｎｍを満たし、
前記位相差フィルムのＮｚ値は、０．２≦Ｎｚ≦０．４を満たし、
前記位相差フィルムの平均屈折率Ｎａｖｅは、１．４≦Ｎａｖｅ≦２．０を満たす、
液晶装置。
【請求項２】
一対の基板と、前記一対の基板の間に配置され、前記基板に平行な成分を有する電界により駆動される液晶層と、を有する液晶パネルと、
前記液晶パネルを挟んで配置された第１の偏光板及び第２の偏光板と、
前記第１の偏光板と前記液晶パネルとの間、又は前記第２の偏光板と前記液晶パネルとの間に配置された位相差フィルムと、を備え、
前記第１の偏光板及び前記第２の偏光板は、偏光子と、前記偏光子を挟む透光性の保護フィルムとを有し、
前記保護フィルムのｘ軸、ｙ軸、及びｚ軸それぞれの軸方向における５５０ｎｍの屈折率をｎｘ1、ｎｙ1、ｎｚ1、とし、前記保護フィルムの厚さをｄ1とすると、
前記保護フィルムの面内位相差Ｒｅ1は、Ｒｅ1＝（ｎｘ1−ｎｙ1）ｄ1であり、
前記保護フィルムの厚み方向位相差Ｒｔｈは、Ｒｔｈ＝｛（ｎｘ1＋ｎｙ1）／２−ｎｚ1｝ｄ1であるとき、
前記保護フィルムの面内位相差Ｒｅ1は、０ｎｍ≦Ｒｅ1≦５ｎｍを満たし、
前記保護フィルムの厚み方向位相差Ｒｔｈは、４０ｎｍ＜Ｒｔｈ≦６０ｎｍを満たし、
前記位相差フィルムのｘ軸、ｙ軸、及びｚ軸それぞれの軸方向における５５０ｎｍの屈折率をｎｘ2、ｎｙ2、ｎｚ2、とし、前記位相差フィルムの厚さをｄ2とすると、
前記位相差フィルムの面内位相差Ｒｅ2は、Ｒｅ2＝（ｎｘ2−ｎｙ2）ｄ2であり、
前記位相差フィルムのＮｚ値は、Ｎｚ＝（ｎｘ2−ｎｚ2）／（ｎｘ2−ｎｙ2）であり、
前記位相差フィルムの平均屈折率Ｎａｖｅは、Ｎａｖｅ＝（ｎｘ2＋ｎｙ2＋ｎｚ2）／３であるとき、
前記位相差フィルムの面内位相差Ｒｅ2は、１００ｎｍ≦Ｒｅ2≦１５０ｎｍを満たし、
前記位相差フィルムのＮｚ値は、−０．１≦Ｎｚ＜０．２を満たし、
前記位相差フィルムの平均屈折率Ｎａｖｅは、１．４≦Ｎａｖｅ≦２．０を満たす、
液晶装置。
【請求項３】
請求項１又は２のいずれか一項に記載の液晶装置であり、
前記位相差フィルムは、前記液晶パネルと前記第１の偏光板との間に配置され、
前記位相差フィルムの遅相軸及び前記第２の偏光板の吸収軸は、前記液晶層の配向方向と平行であり、
前記第１の偏光板の吸収軸は、前記液晶層の配向方向と直交する、
液晶装置。
【請求項４】
請求項１又は２のいずれか一項に記載の液晶装置であり、
前記位相差フィルムは、前記液晶パネルと前記第２の偏光板との間に配置され、
前記位相差フィルムの遅相軸及び前記第１の偏光板の吸収軸は、前記液晶層の配向方向と平行であり、
前記第２の偏光板の吸収軸は、前記液晶層の配向方向と直交する、
液晶装置。
【請求項５】
請求項１乃至請求項４のいずれか一項に記載の液晶装置であり、
前記保護フィルムのｘ軸は、前記保護フィルムの面内屈折率が最大となる方向であり、
前記保護フィルムのｙ軸は、前記保護フィルムの面に平行かつ前記保護フィルムのｘ軸に垂直な方向であり、
前記保護フィルムのｚ軸は、前記保護フィルムの厚さ方向であり、
前記位相差フィルムのｘ軸は、前記位相差フィルムの面内屈折率が最大となる方向であり、
前記位相差フィルムのｙ軸は、前記位相差フィルムの面に平行かつ前記位相差フィルムのｘ軸に垂直な方向であり、
前記位相差フィルムのｚ軸は、前記位相差フィルムの厚さ方向である、
液晶装置。
【請求項６】
請求項１乃至請求項５のいずれか一項に記載の液晶装置であり、
前記液晶パネルは、ＩＰＳモードの液晶パネルである、
液晶装置。
【請求項７】
請求項１乃至請求項５のいずれか一項に記載の液晶装置であり、
前記液晶パネルは、ＦＦＳモードの液晶パネルである、
液晶装置。
【請求項８】
請求項１乃至請求項７のいずれか一項に記載の液晶装置を表示部に備える電子機器。
【発明の詳細な説明】
【技術分野】
【０００１】
本発明に係る一態様は、液晶装置及び電子機器に関する。
【背景技術】
【０００２】
液晶装置は、一対の基板と、これらの基板間に封入された液晶層とを有する液晶パネルを備え、さらに液晶パネルの外側に偏光板を有する構成が一般的である。この液晶装置の１つに、基板に平行な電界（横電界）によって液晶層を駆動させるＩＰＳ（In Plane Switching）モード、ＦＦＳ（Fringe Field Switching）モードの液晶装置が知られている。これらの横電界方式の液晶装置において、視野角を広げるために、液晶パネルと偏光板との間に位相差フィルムを配置する構成が知られている。特に特許文献１では、偏光板に含まれる透明保護フィルムの位相差まで考慮した位相差フィルムの条件が提案されている。
【先行技術文献】
【特許文献】
【０００３】
【特許文献１】特開２００４−１５７５２３号公報
【発明の概要】
【発明が解決しようとする課題】
【０００４】
しかしながら、上記特許文献１を含む従来の補償条件においては、位相差フィルムの平均屈折率が考慮されておらず、位相差フィルムの平均屈折率によっては広視野角が得られないことがあるという課題がある。
【課題を解決するための手段】
【０００５】
本発明は、上記課題の少なくとも一部を解決するためになされたものであり、以下の形態又は適用例として実現することが可能である。
［適用例１］
一対の基板と、一対の基板の間に配置され、基板に平行な成分を有する電界により駆動される液晶層と、を有する液晶パネルと、液晶パネルを挟んで配置された第１の偏光板及び第２の偏光板と、第１の偏光板と液晶パネルとの間、又は第２の偏光板と液晶パネルとの間に配置された位相差フィルムと、を備え、第１の偏光板及び第２の偏光板は、偏光子と、偏光子を挟む透光性の保護フィルムとを有し、保護フィルムの面内位相差Ｒｅ1は、０ｎｍ≦Ｒｅ1≦５ｎｍを満たし、保護フィルムの厚み方向位相差Ｒｔｈは、２０ｎｍ＜Ｒｔｈ≦４０ｎｍを満たし、位相差フィルムの面内位相差Ｒｅ2は、１００ｎｍ≦Ｒｅ2≦１５０ｎｍを満たし、位相差フィルムのＮｚ値は、０．２≦Ｎｚ≦０．４を満たし、位相差フィルムの平均屈折率Ｎａｖｅは、１．４≦Ｎａｖｅ≦２．０を満たす液晶装置。
【０００６】
このような構成によれば、位相差フィルムの面内位相差Ｒｅ2、Ｎｚ値、及び平均屈折率Ｎａｖｅを適切に選択することにより、保護フィルムが有する面内位相差Ｒｅ1及び厚み方向位相差Ｒｔｈを補償して、広い角度範囲にわたり高コントラスト比を有する（すなわち広視野角な）表示が可能な液晶装置が得られる。
【０００７】
本明細書において、保護フィルムの面内位相差Ｒｅ1は、保護フィルムの面内屈折率が最大となる方向をｘ軸、保護フィルムの面に平行かつｘ軸に垂直な方向をｙ軸、保護フィルムの厚さ方向をｚ軸とし、それぞれの軸方向の５５０ｎｍにおける屈折率をｎｘ1、ｎｙ1、ｎｚ1、保護フィルムの厚さをｄ1とした場合に、Ｒｅ1＝（ｎｘ1−ｎｙ1）ｄ1で表される。また、保護フィルムの厚み方向位相差Ｒｔｈは、Ｒｔｈ＝｛（ｎｘ1＋ｎｙ1）／２−ｎｚ1｝ｄ1で表される。一方、位相差フィルムの面内位相差Ｒｅ2は、位相差フィルムの面内屈折率が最大となる方向をｘ軸、位相差フィルムの面に平行かつｘ軸に垂直な方向をｙ軸、位相差フィルムの厚さ方向をｚ軸とし、それぞれの軸方向の５５０ｎｍにおける屈折率をｎｘ2、ｎｙ2、ｎｚ2、位相差フィルムの厚さをｄ2とした場合に、Ｒｅ2＝（ｎｘ2−ｎｙ2）ｄ2で表される。また、位相差フィルムのＮｚ値は、Ｎｚ＝（ｎｘ2−ｎｚ2）／（ｎｘ2−ｎｙ2）で表される。また、位相差フィルムの平均屈折率Ｎａｖｅは、Ｎａｖｅ＝（ｎｘ2＋ｎｙ2＋ｎｚ2）／３で表される。
【０００８】
［適用例２］
一対の基板と、一対の基板の間に配置され、基板に平行な成分を有する電界により駆動される液晶層と、を有する液晶パネルと、液晶パネルを挟んで配置された第１の偏光板及び第２の偏光板と、第１の偏光板と液晶パネルとの間、又は第２の偏光板と液晶パネルとの間に配置された位相差フィルムと、を備え、第１の偏光板及び第２の偏光板は、偏光子と、偏光子を挟む透光性の保護フィルムとを有し、保護フィルムの面内位相差Ｒｅ1は、０ｎｍ≦Ｒｅ1≦５ｎｍを満たし、保護フィルムの厚み方向位相差Ｒｔｈは、４０ｎｍ＜Ｒｔｈ≦６０ｎｍを満たし、位相差フィルムの面内位相差Ｒｅ2は、１００ｎｍ≦Ｒｅ2≦１５０ｎｍを満たし、位相差フィルムのＮｚ値は、−０．１≦Ｎｚ＜０．２を満たし、位相差フィルムの平均屈折率Ｎａｖｅは、１．４≦Ｎａｖｅ≦２．０を満たす液晶装置。
【０００９】
このような構成によれば、位相差フィルムの面内位相差Ｒｅ2、Ｎｚ値、及び平均屈折率Ｎａｖｅを適切に選択することにより、保護フィルムが有する面内位相差Ｒｅ1及び厚み方向位相差Ｒｔｈを補償して、広い角度範囲にわたり高コントラスト比を有する（すなわち広視野角な）表示が可能な液晶装置が得られる。
【００１０】
［適用例３］
上記液晶装置であって、位相差フィルムは、液晶パネルと第１の偏光板との間に配置され、位相差フィルムの遅相軸及び第２の偏光板の吸収軸は、液晶層の配向方向と平行であり、第１の偏光板の吸収軸は、液晶層の配向方向と直交している液晶装置。
【００１１】
このような構成によれば、Ｅモードの液晶装置において、広視野角な表示特性を実現することができる。
［適用例４］
上記液晶装置であって、位相差フィルムは、液晶パネルと第２の偏光板との間に配置され、位相差フィルムの遅相軸及び第１の偏光板の吸収軸は、液晶層の配向方向と平行であり、第２の偏光板の吸収軸は、液晶層の配向方向と直交している液晶装置。
【００１２】
このような構成によれば、Ｏモードの液晶装置において、広視野角な表示特性を実現することができる。
［適用例５］
上記液晶装置であって、液晶パネルは、ＩＰＳモードの液晶パネルである液晶装置。
【００１３】
このような構成によれば、広視野角な表示特性を有するＩＰＳモードの液晶装置が得られる。
［適用例６］
上記液晶装置であって、液晶パネルは、ＦＦＳモードの液晶パネルである液晶装置。
【００１４】
このような構成によれば、広視野角な表示特性を有するＦＦＳモードの液晶装置が得られる。
［適用例７］
上記液晶装置を表示部に備える電子機器。
【００１５】
このような構成によれば、表示部において広視野角な表示を行うことが可能な電子機器が得られる。
【図面の簡単な説明】
【００１６】
【図１】液晶装置の構成を示しており、（ａ）は斜視図、（ｂ）は（ａ）中のＡ−Ａ線における断面図、（ｃ）は偏光板の層構成を示す断面図。
【図２】画素領域の拡大平面図。
【図３】画素領域を構成する複数のサブ画素における各種素子、配線等の等価回路図。
【図４】素子基板のうち、１つのサブ画素に対応する部分を抽出して示す平面図。
【図５】図４中のＢ−Ｂ線の位置における断面図。
【図６】偏光板及び位相差フィルムの向きを示す模式図。
【図７】各実施例及び参考例において、位相差フィルムの平均屈折率Ｎａｖｅを変更した場合の液晶装置の視野角特性を示す図。
【図８】変形例１に係るＯモードの液晶装置を示し、（ａ）は斜視図、（ｂ）は（ａ）中のＣ−Ｃ線における断面図。
【図９】Ｏモードの液晶装置における液晶層の配向方向と偏光板及び位相差フィルムの向きを示す模式図。
【図１０】ＦＦＳモードを適用した液晶装置の素子基板のうち、１つのサブ画素に対応する部分を抽出して示す平面図。
【図１１】図１０中のＤ−Ｄ線の位置における断面図。
【図１２】電子機器としての携帯電話機の斜視図。
【発明を実施するための形態】
【００１７】
以下、図面を参照し、液晶装置及び電子機器の実施形態について説明する。なお、以下に示す各図においては、各構成要素を図面上で認識され得る程度の大きさとするため、各構成要素の寸法や比率を実際のものとは適宜に異ならせてある。
【００１８】
図１は、液晶装置１の構成を示しており、（ａ）は斜視図、（ｂ）は（ａ）中のＡ−Ａ線における断面図、（ｃ）は偏光板６，７の層構成を示す断面図である。液晶装置１は、液晶パネル２と、液晶パネル２を挟んで配置された、第１の偏光板としての偏光板６及び第２の偏光板としての偏光板７を有している。また、偏光板６と液晶パネル２との間には、位相差フィルム８が配置されている。
【００１９】
液晶パネル２は、枠状のシール材５８を介して対向して貼り合わされた、一対の基板としての素子基板１０、対向基板２０を有している。素子基板１０、対向基板２０、シール材５８によって囲まれた空間には、液晶層５０が封入されている。素子基板１０は、対向基板２０より大きく、一部が対向基板２０に対して張り出した状態で貼り合わされている。この張り出した部位には、液晶層５０を駆動するためのドライバＩＣ５７が実装されている。偏光板６は、液晶パネル２の素子基板１０側、偏光板７は、液晶パネル２の対向基板２０側に配置されている。したがって、偏光板７、液晶パネル２、位相差フィルム８、偏光板６は、この順に積層されており、またこれらの各要素間は接着層を介して接着されている。
【００２０】
図１（ｃ）に示すように、偏光板６は、偏光子６ａと、偏光子６ａの両面に貼り合わされた透光性を有する一対の保護フィルム６ｂとを有している。同様に、偏光板７は、偏光子７ａと、偏光子７ａの両面に貼り合わされた透光性を有する一対の保護フィルム７ｂとを有している。
【００２１】
偏光子６ａ，７ａとしては、例えばポリビニルアルコール系フィルムに、ヨウ素や二色性染料等の二色性物質を吸着させて一軸延伸したものを用いることができる。
保護フィルム６ｂ，７ｂとしては、面内位相差Ｒｅ1が１０ｎｍ以下、より好ましくは５ｎｍ以下であり、かつ厚み方向位相差Ｒｔｈが０ｎｍ以上１００ｎｍ以下、より好ましくは０ｎｍ以上６０ｎｍ以下のものを特に制限なく用いることができる。保護フィルム６ｂ，７ｂを構成する材料としては、例えば、トリアセチルセルロース（ＴＡＣ）やジアセチルセルロース等のセルロース系ポリマー、ポリエチレンテレフタレートやポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマー等を用いることができる。また、ポリオレフィン系ポリマー、塩化ビニル系ポリマー、アミド系ポリマー、イミド系ポリマー、スルホン系ポリマー等を用いてもよい。あるいは、保護フィルム６ｂ，７ｂは、アクリル系、ウレタン系、アクリルウレタン系、エポキシ系、シリコーン系等の熱硬化型、紫外線硬化型の樹脂の硬化層として形成することもできる。これらの材料の中では、トリアセチルセルロースが好適である。
【００２２】
上記において、保護フィルム６ｂ，７ｂの面内位相差Ｒｅ1は、保護フィルム６ｂ，７ｂの面内屈折率が最大となる方向をｘ軸、保護フィルム６ｂ，７ｂの面に平行かつｘ軸に垂直な方向をｙ軸、保護フィルム６ｂ，７ｂの厚さ方向をｚ軸とし、それぞれの軸方向の５５０ｎｍにおける屈折率をｎｘ1、ｎｙ1、ｎｚ1、保護フィルム６ｂ，７ｂの厚さをｄ1とした場合に、Ｒｅ1＝（ｎｘ1−ｎｙ1）ｄ1で表される。また、保護フィルム６ｂ，７ｂの厚み方向位相差Ｒｔｈは、Ｒｔｈ＝｛（ｎｘ1＋ｎｙ1）／２−ｎｚ1｝ｄ1で表される。
【００２３】
位相差フィルム８としては、前記Ｎｚ値が−０．１以上０．８以下であり、面内位相差Ｒｅ2が５０ｎｍ以上４００ｎｍ以下、より好ましくは１００ｎｍ以上３００ｎｍ以下であり、平均屈折率Ｎａｖｅが１．４以上２．０以下であるものを特に制限なく使用することができ、例えば高分子ポリマーフィルムの複屈折性フィルム、液晶ポリマーの配向フィルム等を用いることができる。高分子ポリマーとしては、例えば、トリアセチルセルロース（Ｎａｖｅ＝１．４８）、ゼオノア（Ｎａｖｅ＝１．５２）、ポリカーボネート（Ｎａｖｅ＝１．５９）、ＰＭＭＡ（Ｎａｖｅ＝１．４９）、ポリスチレン（Ｎａｖｅ＝１．５９）等を用いることができる。
【００２４】
上記において、位相差フィルム８の面内位相差Ｒｅ2は、位相差フィルム８の面内屈折率が最大となる方向をｘ軸、位相差フィルム８の面に平行かつｘ軸に垂直な方向をｙ軸、位相差フィルム８の厚さ方向をｚ軸とし、それぞれの軸方向の５５０ｎｍにおける屈折率をｎｘ2、ｎｙ2、ｎｚ2、位相差フィルム８の厚さをｄ2とした場合に、Ｒｅ2＝（ｎｘ2−ｎｙ2）ｄ2で表される。また、位相差フィルム８のＮｚ値は、Ｎｚ＝（ｎｘ2−ｎｚ2）／（ｎｘ2−ｎｙ2）で表される。また、位相差フィルム８の平均屈折率Ｎａｖｅは、Ｎａｖｅ＝（ｎｘ2＋ｎｙ2＋ｎｚ2）／３で表される。
【００２５】
続いて、液晶パネル２の構成について詳述する。液晶パネル２のうち、液晶層５０が封入された領域には、表示に寄与するサブ画素４Ｒ，４Ｇ，４Ｂ（図２）がマトリクス状に多数配置されている。以下では、サブ画素４Ｒ，４Ｇ，４Ｂの集合からなる領域を画素領域５とも呼ぶ。
【００２６】
図２は、画素領域５の拡大平面図である。画素領域５には、矩形のサブ画素４Ｒ，４Ｇ，４Ｂが多数配置されている。サブ画素４Ｒ，４Ｇ，４Ｂは、それぞれ赤、緑、青のいずれかの色の表示に寄与する。以下では、サブ画素４Ｒ，４Ｇ，４Ｂについて、色を区別しない場合には、単にサブ画素４とも呼ぶ。サブ画素４Ｒ，４Ｇ，４Ｂには、それぞれ赤、緑、青に対応するカラーフィルタ２３（図５）が配置されている。カラーフィルタ２３は、入射した光の特定の波長成分を吸収することによって透過光を所定の色とすることができる。隣接するサブ画素４の間には、カラーフィルタ２３と同一層に形成された遮光層２２が配置されている。
【００２７】
サブ画素４は、マトリクス状に配置されており、ある列に配置されるサブ画素４の色はすべて同一である。換言すれば、サブ画素４は、対応する色がストライプ状に並ぶように配置されている。また、行方向に並んだ隣り合う３つのサブ画素４Ｒ，４Ｇ，４Ｂの集合によって画素３が構成される。画素３は、表示の最小単位（ピクセル）となる。各画素３において、サブ画素４Ｒ，４Ｇ，４Ｂの輝度バランスを調節することによって、種々の色の表示を行うことができる。
【００２８】
図３は、画素領域５を構成する複数のサブ画素４における各種素子、配線等の等価回路図である。画素領域５においては、複数の走査線１２と複数のデータ線１３とが交差するように配線され、走査線１２とデータ線１３との交差に対応して、ＴＦＴ（Thin Film Transistor）素子３０、画素電極１６を含むサブ画素４が形成されている。画素電極１６は、ＴＦＴ素子３０のドレイン領域に電気的に接続されている。また、サブ画素４には、共通電極１８が配置されている。各共通電極１８は、共通線１８ａを介して等電位に保たれている。
【００２９】
ＴＦＴ素子３０は、走査線１２から供給される走査信号Ｇ１，Ｇ２，…，Ｇｍに含まれるＯＮ信号によってオンとなり、このときデータ線１３に供給された画像信号Ｓ１，Ｓ２，…，Ｓｎを画素電極１６に供給する。そして、画素電極１６と、共通電極１８との間の電位差に応じた電界が液晶層５０にかかると、液晶層５０の配向状態が変化する。これにより、液晶パネル２の偏光変換機能を所望の状態とすることができる。
【００３０】
次に、サブ画素４の構成要素を、図４及び図５を用いて詳述する。図４は、素子基板１０のうち、１つのサブ画素４に対応する部分を抽出して示す平面図である。また、図５は、図４中のＢ−Ｂ線の位置における断面図である。以下の説明において「上層」又は「下層」とは、図５において相対的に上又は下に形成された層を指す。
【００３１】
図４に示すように、各サブ画素４には、走査線１２とデータ線１３とが交差するように配置されており、この交差に対応してＴＦＴ素子３０が形成されている。本明細書では、走査線１２の延在方向をＸ方向、データ線１３の延在方向をＹ方向とする。各サブ画素４には、櫛歯状をなす部分を有する画素電極１６、共通電極１８が形成されている。このうち画素電極１６は、ＴＦＴ素子３０のドレイン電極３３に電気的に接続されている。また、共通電極１８は、共通線１８ａと一体で形成されており、隣接するサブ画素４の共通電極１８との間で共通線１８ａを介して電気的に接続されている。画素電極１６、共通電極１８は、櫛歯状をなす部分が互い違いに入り込んだ状態で対向して配置されている。
【００３２】
続いて、図５を用いてサブ画素４の断面構造について説明する。ガラス基板１１の、ガラス基板２１に対向する面には、走査線１２が形成されている。走査線１２と同層には、ドレイン電極３３との間で容量を形成する容量線を形成してもよい。ガラス基板１１と走査線１２との間には、酸化シリコン（ＳｉＯ2）等からなる絶縁層が設けられていてもよい。走査線１２の上層には、酸化シリコン（ＳｉＯ2）等からなるゲート絶縁層４２を挟んで半導体層３１が形成されている。半導体層３１は、例えばアモルファスシリコンから構成することができる。また、半導体層３１に一部が重なる状態で、ソース電極１３ａとドレイン電極３３が形成されている。ソース電極１３ａは、データ線１３（図４）と一体で形成されている。半導体層３１、ソース電極１３ａ、ドレイン電極３３、走査線１２等からＴＦＴ素子３０が構成される。走査線１２は、ＴＦＴ素子３０のゲート電極としての役割を兼ねる。走査線１２（ゲート電極）、ソース電極１３ａ（データ線１３）、ドレイン電極３３は、例えば、チタン（Ｔｉ）、クロム（Ｃｒ）、タングステン（Ｗ）、タンタル（Ｔａ）、モリブデン（Ｍｏ）、アルミニウム（Ａｌ）等の金属のうちの少なくとも一つを含む、金属単体、合金、金属シリサイド、ポリシリサイド、これらを積層したもの、あるいは導電性ポリシリコン等から構成することができる。
【００３３】
ＴＦＴ素子３０の上層には、酸化シリコン（ＳｉＯ2）等からなる層間絶縁層４３を挟んで、透光性を有するＩＴＯ（Indium Tin Oxide）からなる画素電極１６、共通電極１８が形成されている。図５の断面においては、共通電極１８と画素電極１６とは、電極の櫛歯状の部分が交互に配置されている。このうち画素電極１６は、層間絶縁層４３に設けられたコンタクトホール３４を介してＴＦＴ素子３０のドレイン電極３３に電気的に接続されている。このように、画素電極１６及び共通電極１８は、ガラス基板１１の、ガラス基板２１に対向する面に形成されている。
【００３４】
画素電極１６、共通電極１８上には、ポリイミドからなる配向膜４８が形成されている。配向膜４８は、液晶層５０に接する部材であり、配向膜４８をラビングすることで、液晶層５０の液晶分子５１を当該ラビングの方向に沿って配向させることができる。本実施形態では、配向膜４８は、＋９５度の方向に沿ってラビングがなされている。なお、本明細書におけるラビング方向又は液晶分子５１の配向方向は、Ｘ−Ｙ平面をＺ軸の正方向から見て、Ｘ軸の正方向を０度とし、Ｚ軸を中心とした左回り（反時計回り）を正方向とする方位角で表す。素子基板１０は、ガラス基板１１から配向膜４８までの要素により構成される。
【００３５】
一方、ガラス基板２１のうち、ガラス基板１１に対向する面上には、カラーフィルタ２３、配向膜２８がこの順に積層されている。カラーフィルタ２３が形成されている層には、より詳しくは、赤、緑、青に対応する３種のカラーフィルタ２３と、これら各色のカラーフィルタ２３の間に配置された遮光層２２（図２）とが形成されている。配向膜２８はポリイミドからなり、素子基板１０側の配向膜４８と同様の性質を有している。本実施形態では、配向膜２８は、−９５度の方向に沿ってラビングがなされている。したがって、配向膜２８，４８のラビング方向は、互いに平行かつ逆方向である。対向基板２０は、ガラス基板２１から配向膜２８までの要素により構成される。
【００３６】
素子基板１０と対向基板２０との間の領域、すなわち配向膜２８と配向膜４８とによって挟まれた領域には、液晶分子５１を有する液晶層５０が配置されている。液晶層５０のΔｎｄ（液晶分子５１の複屈折率Δｎと、液晶層５０の厚さｄとの積）は、例えば３００ｎｍから４００ｎｍの間に設定することができる。本実施形態では３６０ｎｍとした。
【００３７】
液晶層５０の液晶分子５１は、電圧無印加時（オフ状態に相当する弱い電圧が印加された状態を含む。以下同じ）においては、配向膜２８，４８のラビング方向、すなわち９５度の方向に沿って配向する。配向膜２８，４８のラビング方向は、上記したように平行かつ逆方向であるため、液晶層５０はいわゆるアンチパラレル配向となっている。したがって、液晶層５０の液晶分子５１の少なくとも一部は、駆動電圧の大きさ（電界の大きさ）に関わらず、ガラス基板１１に対して平行に配向する。
【００３８】
図６は、偏光板６，７及び位相差フィルム８の向きを示す模式図である。図６には、液晶層５０の配向方向５０Ａ、偏光板６，７の吸収軸６Ａ，７Ａ、及び位相差フィルム８の遅相軸８Ａの方向が矢印で示されている。ここで、位相差フィルム８の遅相軸８Ａ及び偏光板７の吸収軸７Ａは、液晶層５０の配向方向５０Ａと平行であり、偏光板６の吸収軸６Ａは、液晶層５０の配向方向５０Ａと直交している。したがって、遅相軸８Ａ、吸収軸７Ａの方向は、配向方向５０Ａと同じく９５度であり、吸収軸６Ａの方向は５度である。このような構成の液晶装置１は、Ｅモードと呼ばれる。
【００３９】
液晶装置１は、偏光板６側から入射したバックライト（不図示）等からの光を、偏光板７側から取り出すことにより表示を行う。したがって、観察者は偏光板７側から（Ｚ軸の正方向から）表示を視認する。液晶装置１は、液晶パネル２の偏光変換機能と、偏光板６，７の偏光選択機能とによって入射光を変調することにより、種々の表示を行うことができる。
【００４０】
続いて、上記構成を有する液晶装置１の動作について説明する。液晶装置１の動作の際には、共通電極１８は所定の共通電位に保たれている一方で、画素電極１６にはデータ線１３、ＴＦＴ素子３０を介して画像信号が書き込まれる。これにより、共通電極１８と画素電極１６との間には、画像信号の大きさに応じた駆動電圧が印加される。駆動電圧が印加され、電位差が生じると、画素電極１６の表面から出て共通電極１８の表面に至る電気力線を有するような電界が生じる。このとき、共通電極１８及び画素電極１６の上部、すなわち液晶層５０が配置された層においては、ガラス基板１１と平行な電界（横電界）が生じる。換言すれば、当該電界は、ガラス基板１１に平行な成分を有している。そして、この横電界の平面視での方向は、共通電極１８及び画素電極１６の櫛歯状電極の延在方向に直交する方向である。液晶層５０に含まれる液晶分子５１は、この横電界の大きさに応じて、ガラス基板１１に平行な面内で配向方向を変える。ここで、電圧無印加時における液晶分子５１の配向方向と、電圧印加時において生じる横電界の方向（共通電極１８及び画素電極１６の櫛歯状電極の延在方向に直交する方向）とのなす角は約８５度となっている。このようにすれば、横電界が印加された際の、液晶分子５１の回転方向を一様にすることができる。これにより、上記回転方向の不均一に起因するドメインの発生を抑制することができる。
【００４１】
電圧無印加時においては、液晶層５０の液晶分子５１は、配向膜２８，４８のラビング方向（９５度）に沿って配向する。このとき、偏光板６を透過した直線偏光は、その偏光軸が液晶分子５１の配向方向と直交するため、液晶層５０によっては位相差を与えられずに直線偏光のまま液晶層５０を透過し、偏光板７によって吸収される。したがって、電圧無印加時では、偏光板７からは表示光が取り出されず、黒表示が行われる。
【００４２】
一方、電圧印加時には、液晶層５０の液晶分子５１は、横電界によって駆動され、配向方向が９５度から変化する。このとき、偏光板６を透過した直線偏光は、その偏光軸が液晶分子５１の配向方向とは直交しないため、液晶層５０によって位相差を与えられ、偏光状態が変化する。この偏光状態の変化量は、液晶層５０のリタデーション（Δｎｄ）及び液晶分子５１の回転角度に依存する。液晶層５０を透過して偏光状態の変化を受けた光は、偏光板７の吸収軸に直交する成分を有して偏光板７に入射するため、一部又は全部が偏光板７を透過し、観察者に視認される。こうして、電圧印加時には、例えば白表示が行われる。
【００４３】
なお、黒表示時と白表示時の中間の大きさの電圧が印加されている場合は、液晶分子５１の配向方向が、その電圧の大きさに応じた角度だけ変化する。よって、液晶層５０において透過光が受ける偏光状態の変化の量が変わる。したがって、印加される電圧の大きさに応じて偏光板７を透過する光量が変化し、中間調表示が行われる。
【００４４】
このような液晶モードは、ＩＰＳモードと呼ばれる。ＩＰＳモードは、常に液晶分子５１がガラス基板１１に略平行に保たれるため、視角によるリタデーションの変化が少なく、広視野角な表示を行うことができる。
【００４５】
さらに、本実施形態では、液晶パネル２と偏光板６との間に位相差フィルム８が配置されていることによって、より広視野角な表示特性が得られる。位相差フィルム８は、所定の光軸（Ｚ軸）からずれた方向で偏光板６に入射した光に対し位相差を与えることで、当該光が偏光板７から射出される際の光漏れを低減させることができる。したがって、位相差フィルム８は、液晶装置１を斜め方向（Ｚ軸に対して角度を有する方向）から見た際のコントラストの低下を補償する機能を有する。
【００４６】
特に、偏光板６，７に含まれる保護フィルム６ｂ，７ｂの特性値に応じて位相差フィルム８の特性値を適切に設定することで、より広い角度範囲にわたり高コントラストな表示が得られる。
【００４７】
具体的には、第１の条件として、保護フィルム６ｂ，７ｂの面内位相差Ｒｅ1、厚み方向位相差Ｒｔｈが
０ｎｍ≦Ｒｅ1≦５ｎｍ
０ｎｍ≦Ｒｔｈ≦２０ｎｍ
を満たす場合には、位相差フィルム８の面内位相差Ｒｅ2、Ｎｚ値、平均屈折率Ｎａｖｅを
２００ｎｍ≦Ｒｅ2≦３００ｎｍ
０．４＜Ｎｚ≦０．８
１．４≦Ｎａｖｅ≦２．０
の範囲内の値とすることで、広視野角な表示特性が得られる。
【００４８】
また、第２の条件として、保護フィルム６ｂ，７ｂの面内位相差Ｒｅ1、厚み方向位相差Ｒｔｈが
０ｎｍ≦Ｒｅ1≦５ｎｍ
２０ｎｍ＜Ｒｔｈ≦４０ｎｍ
を満たす場合には、位相差フィルム８の面内位相差Ｒｅ2、Ｎｚ値、平均屈折率Ｎａｖｅを
１００ｎｍ≦Ｒｅ2≦１５０ｎｍ
０．２≦Ｎｚ≦０．４
１．４≦Ｎａｖｅ≦２．０
の範囲内の値とすることで、広視野角な表示特性が得られる。
【００４９】
また、第３の条件として、保護フィルム６ｂ，７ｂの面内位相差Ｒｅ1、厚み方向位相差Ｒｔｈが
０ｎｍ≦Ｒｅ1≦５ｎｍ
４０ｎｍ＜Ｒｔｈ≦６０ｎｍ
を満たす場合には、位相差フィルム８の面内位相差Ｒｅ2、Ｎｚ値、平均屈折率Ｎａｖｅを
１００ｎｍ≦Ｒｅ2≦１５０ｎｍ
−０．１≦Ｎｚ＜０．２
１．４≦Ｎａｖｅ≦２．０
の範囲内の値とすることで、広視野角な表示特性が得られる。
【００５０】
上記各例からわかるように、位相差フィルム８の平均屈折率Ｎａｖｅは、いずれの条件においても１．４≦Ｎａｖｅ≦２．０とすることが好ましい。平均屈折率Ｎａｖｅを１．４以上とすることで、高コントラストが得られる角度範囲を広げることができる。また、平均屈折率Ｎａｖｅを２．０以下とすることで、耐熱性等についての信頼性の高い位相差フィルム８が得られる。
【００５１】
以下に示す参考例並びに実施例１及び実施例２は、それぞれ上述の第１の条件から第３の条件について、平均屈折率Ｎａｖｅの範囲として１．４以上２．０以下が好適であることを示す具体例である。図７は、各実施例及び参考例において、位相差フィルムの平均屈折率Ｎａｖｅを変更した場合の液晶装置１の視野角特性を示す図である。詳しくは、観察方向を変えたときの表示のコントラスト分布を示す図である。各グラフの中心点は、液晶パネル２の法線方向（Ｚ軸方向）に対応し、中心点を同心とする円は、直径の小さいものから順に、法線方向からの傾き（極角）が２０度（°）、４０度、６０度、８０度となる方向に対応する。グラフ中の等高線は、コントラストが１００又は５００となる方向の分布を示す。また、各グラフは、外周（極角８０度に対応する線）の位置においてコントラストが１００以上となる部分を太線で描いている。したがって、外周のうち太線となっている部分の割合が多い条件ほど、広視野角の得られる条件であると言える。
【００５２】
（参考例）
本参考例では、保護フィルム６ｂ，７ｂとして、面内位相差Ｒｅ1が０ｎｍ、厚み方向位相差Ｒｔｈが０ｎｍのＴＡＣを用いた。また、位相差フィルム８として、面内位相差Ｒｅ2が２７０ｎｍ、Ｎｚ値が０．５のフィルムを用いた。さらに、位相差フィルム８の平均屈折率Ｎａｖｅを２．５／１．５／１．３の３通りに変更し、それぞれの条件について液晶装置１の視野角特性を求めた（図７上段）。
【００５３】
図７から分かるように、平均屈折率Ｎａｖｅが２．５又は１．５の場合には、全方位にわたって極角８０度におけるコントラストが１００以上となっており、広視野角な特性が得られた。一方で、平均屈折率Ｎａｖｅを１．３とすると、一部の方位において極角８０度でのコントラストが１００を切るようになり、視野角が狭くなることが確認された。視野角の広さの面からは、位相差フィルム８の平均屈折率Ｎａｖｅは１．４以上とすることが好ましい。
【００５４】
また、平均屈折率Ｎａｖｅが２．０より大きくなると、好適な材料の選択肢が狭まることに起因して信頼性が低下する。
また、次に示す表１は、位相差フィルム８の平均屈折率Ｎａｖｅを変更した場合に、方位角６０度、極角４５度から見たときの黒表示の色度を示している（ＣＩＥ色度座標による）。本参考例では、表１の上段に示すように、平均屈折率Ｎａｖｅを２．５とした場合（x=0.215,y=0.142）には、平均屈折率Ｎａｖｅが１．５である場合（x=0.221,0.160）に比べて、黒の色度が青味がかってくることがわかる。このように、信頼性、及び黒表示の色度の面から、位相差フィルム８の平均屈折率Ｎａｖｅは２．０以下とすることが好ましい。
【００５５】
【表１】
2014102521.tif 000003
【００５６】
（実施例１）
本実施例では、保護フィルム６ｂ，７ｂとして、面内位相差Ｒｅ1が０ｎｍ、厚み方向位相差Ｒｔｈが３０ｎｍのＴＡＣを用いた。また、位相差フィルム８として、面内位相差Ｒｅ2が１３０ｎｍ、Ｎｚ値が０．３のフィルムを用いた。さらに、位相差フィルム８の平均屈折率Ｎａｖｅを２．５／１．５／１．３の３通りに変更し、それぞれの条件について液晶装置１の視野角特性を求めた（図７中段）。
【００５７】
図７から分かるように、平均屈折率Ｎａｖｅが１．５の場合には、平均屈折率Ｎａｖｅが１．３の場合と比較して、極角８０度においてコントラストが１００以上となる方位が大幅に増えた。一方で、平均屈折率Ｎａｖｅを２．５とすると、一部の方位では極角８０度でのコントラストが１００に達するものの、コントラストが１００以上となる領域が大きく減少する。視野角の広さの面からは、位相差フィルム８の平均屈折率Ｎａｖｅは１．４以上２．０以下とすることが好ましい。
【００５８】
また、平均屈折率Ｎａｖｅが２．０より大きくなると、好適な材料の選択肢が狭まることに起因して信頼性が低下する。
また、上記表１の中段によれば、本実施例では、平均屈折率Ｎａｖｅを２．５とした場合（x=0.309,y=0.208）には、平均屈折率Ｎａｖｅが１．５である場合（x=0.348,0.229）に比べて、黒の色度が青味がかってくることがわかる。このように、信頼性、及び黒表示の色度の面から、位相差フィルム８の平均屈折率Ｎａｖｅは２．０以下とすることが好ましい。
【００５９】
（実施例２）
本実施例では、保護フィルム６ｂ，７ｂとして、面内位相差Ｒｅ1が０ｎｍ、厚み方向位相差Ｒｔｈが５０ｎｍのＴＡＣを用いた。また、位相差フィルム８として、面内位相差Ｒｅ2が１３０ｎｍ、Ｎｚ値が０．１のフィルムを用いた。さらに、位相差フィルム８の平均屈折率Ｎａｖｅを２．５／１．５／１．３の３通りに変更し、それぞれの条件について液晶装置１の視野角特性を求めた（図７下段）。
【００６０】
図７から分かるように、平均屈折率Ｎａｖｅが１．５の場合には、平均屈折率Ｎａｖｅが１．３の場合と比較して、極角８０度においてコントラストが１００以上となる方位が増加した。特に、平均屈折率Ｎａｖｅが１．３の場合には、極角８０度でコントラストが１００となる方位の領域が６つであったのに対し、平均屈折率Ｎａｖｅを１．５とした場合には、同領域が８つに増加した。一方で、平均屈折率Ｎａｖｅを２．５とすると、一部の方位では極角８０度でのコントラストが１００に達するものの、コントラストが１００以上となる領域が大きく減少する。視野角の広さの面からは、位相差フィルム８の平均屈折率Ｎａｖｅは１．４以上２．０以下とすることが好ましい。
【００６１】
また、平均屈折率Ｎａｖｅが２．０より大きくなると、好適な材料の選択肢が狭まることに起因して信頼性が低下する。
また、上記表１の下段によれば、本実施例では、平均屈折率Ｎａｖｅを２．５とした場合（x=0.205,y=0.119）には、平均屈折率Ｎａｖｅが１．５である場合（x=0.329,0.273）に比べて、黒の色度が大きく青味がかってくることがわかる。このように、信頼性、及び黒表示の色度の面から、位相差フィルム８の平均屈折率Ｎａｖｅは２．０以下とすることが好ましい。
【００６２】
（電子機器）
以上に説明した液晶装置１は、例えば、携帯電話機等の電子機器に搭載して用いることができる。図１２は、電子機器としての携帯電話機１００の斜視図である。携帯電話機１００は、表示部１１０及び操作ボタン１２０を有している。表示部１１０は、内部に組み込まれた液晶装置１によって、操作ボタン１２０で入力した内容や着信情報を始めとする様々な情報について表示を行うことができる。このとき、液晶装置１に含まれる位相差フィルム８の作用により、表示部１１０において広視野角の表示を行うことができる。
【００６３】
なお、液晶装置１は、上記携帯電話機１００の他、モバイルコンピュータ、デジタルカメラ、デジタルビデオカメラ、車載機器、オーディオ機器等の各種電子機器に用いることができる。
【００６４】
上記実施形態に対しては、様々な変形を加えることが可能である。変形例としては、例えば以下のようなものが考えられる。
（変形例１）
上記実施形態では、Ｅモードの液晶装置１について説明したが、Ｏモードとすることもできる。図８は、本変形例に係るＯモードの液晶装置１を示し、（ａ）は斜視図、（ｂ）は（ａ）中のＣ−Ｃ線における断面図である。この図に示すように、本変形例では、位
相差フィルム８は、液晶パネル２と、第２の偏光板としての偏光板７との間に配置されている。図９は、Ｏモードの液晶装置１における液晶層５０の配向方向５０Ａと偏光板６，７及び位相差フィルム８の向きを示す模式図である。この図に示すように、位相差フィルム８の遅相軸８Ａ及び偏光板６の吸収軸６Ａは、液晶層５０の配向方向５０Ａと平行であり、その方向は９５度である。また、偏光板７の吸収軸７Ａは、液晶層５０の配向方向５０Ａと直交しており、その方向は５度である。このような構成の液晶装置１のモードは、Ｏモードと呼ばれる。このような構成においても、位相差フィルム８の面内位相差Ｒｅ2、Ｎｚ値、平均屈折率Ｎａｖｅを、保護フィルム６ｂ，７ｂの面内位相差Ｒｅ1、厚み方向位相差Ｒｔｈに応じて適切な値（上記実施形態と同様の値）に設定することで、液晶装置１の視野角を広げることができる。
【００６５】
（変形例２）
上記各実施形態の液晶装置１は、ＩＰＳモードの液晶パネル２を採用しているが、これに代えてＦＦＳモードとすることもできる。本変形例は、ＦＦＳモードを適用した液晶パネル２を備えた液晶装置１に係るものである。
【００６６】
図１０は、ＦＦＳモードを適用した液晶パネル２の素子基板１０のうち、１つのサブ画素４に対応する部分を抽出して示す平面図である。また、図１１は、図１０中のＤ−Ｄ線の位置における断面図である。以下では、図４及び図５と共通する構成要素については説明を省略する。
【００６７】
図１０に示すように、ＴＦＴ素子３０には、略長方形の画素電極１６が電気的に接続されている。画素電極１６には、多数の平行なスリット（開口部）１６ａが等間隔で設けられている。スリット１６ａは、細長い長方形又は平行四辺形をなしており、その長辺は、Ｘ軸方向に対して所定の角度に傾いている。本実施形態では、当該角度は５度となっている。画素電極１６の下層側には、共通電極１８が形成されている。共通電極１８は、＋Ｚ方向から見て、画素電極１６の略全面に重なる位置に形成されている。
【００６８】
図１１に示すように、ＴＦＴ素子３０の上層には、酸化シリコン（ＳｉＯ2）等からなる層間絶縁層４３を挟んで、ＩＴＯからなる共通電極１８が積層されている。
共通電極１８の上層には、酸化シリコン（ＳｉＯ2）等からなる層間絶縁層４４を挟んでＩＴＯからなる画素電極１６が形成されている。画素電極１６は、サブ画素４ごとに独立して設けられている。画素電極１６は、層間絶縁層４３，４４を貫通して設けられたコンタクトホール３４を介してドレイン電極３３に電気的に接続されている。画素電極１６には、上記したように多数のスリット１６ａが設けられている。ここで、画素電極１６、共通電極１８及びこれに挟まれた層間絶縁層４４は、蓄積容量としても機能する。画素電極１６上には、ポリイミドからなる配向膜４８が積層されている。
【００６９】
本変形例では、配向膜２８，４８は０度の方向に沿ってラビングされている。したがって、液晶層５０は０度の方向に沿ったアンチパラレル配向となっている。これにともなって、本変形例では、偏光板６，７の吸収軸、位相差フィルム８の遅相軸については、上記実施形態又は変形例において９５度となっていたものは０度に変更し、５度となっていたものは９０度に変更する。
【００７０】
共通電極１８は所定の共通電位に保たれている一方で、画素電極１６にはデータ線１３、ＴＦＴ素子３０を介して画像信号が書き込まれるため、共通電極１８と画素電極１６との間には、画像信号の大きさに応じた駆動電圧が印加される。駆動電圧が印加され、電位差が生じると、画素電極１６の表面から出て共通電極１８の表面に至る電気力線を有するような電界が生じる。このとき、画素電極１６の上部、すなわち液晶層５０が配置された層においては、ガラス基板１１と平行な電界（横電界）が生じる。そして、この横電界の方向は、画素電極１６のスリット１６ａの長手方向に直交する方向である。液晶層５０に含まれる液晶分子５１は、この横電界の大きさに応じて、ガラス基板１１に平行な面内で配向方向を変える。
【００７１】
本変形例２の液晶装置１は、以上に示したＦＦＳモードの液晶パネル２を備えている。このような構成においても、位相差フィルム８の面内位相差Ｒｅ2、Ｎｚ値、平均屈折率Ｎａｖｅを、保護フィルム６ｂ，７ｂの面内位相差Ｒｅ1、厚み方向位相差Ｒｔｈに応じて適切な値（上記実施形態と同様の値）に設定することで、液晶装置１の視野角を広げることができる。
【符号の説明】
【００７２】
１…液晶装置、２…液晶パネル、４…サブ画素、５…画素領域、６…第１の偏光板、７…第２の偏光板、６Ａ，７Ａ…吸収軸、６ａ，７ａ…偏光子、６ｂ，７ｂ…保護フィルム、８…位相差フィルム、８Ａ…遅相軸、１０…素子基板、１１，２１…ガラス基板、１２…走査線、１３…データ線、１３ａ…ソース電極、１６…画素電極、１６ａ…スリット、１８…共通電極、１８ａ…共通線、２０…対向基板、２２…遮光層、２３…カラーフィルタ、２８，４８…配向膜、３０…ＴＦＴ素子、３１…半導体層、３３…ドレイン電極、３４…コンタクトホール、４２…ゲート絶縁層、４３，４４…層間絶縁層、５０…液晶層、５０Ａ…配向方向、５１…液晶分子、５７…ドライバＩＣ、５８…シール材、１００…電子機器としての携帯電話機。
【図１】
2014102521.tif 000004
【図２】
2014102521.tif 000005
【図３】
2014102521.tif 000006
【図４】
2014102521.tif 000007
【図５】
2014102521.tif 000008
【図６】
2014102521.tif 000009
【図７】
2014102521.tif 000010
【図８】
2014102521.tif 000011
【図９】
2014102521.tif 000012
【図１０】
2014102521.tif 000013
【図１１】
2014102521.tif 000014
【図１２】
2014102521.tif 000015